(57)【要約】【課題】指を湿らす必要がなく、衛生的に極めて容易にポリ袋の口を開けることのできる開け具を提供する。【解決手段】肉薄の表面シート７ａと裏面シート７ｂで形成されたポリ袋７の口を開けるための開け具であって、表面シート７ａに当接可能な表面側当接部６と裏面シート７ｂに当接可能な裏面側当接部５が、略Ｕ字状の弾性を有する連結部２で連結されてなり、少なくとも表面側当接部６と裏面側当接部５が摩擦力を発揮し得る素材で形成されている。【選択図】図５
2016022985.tif 000002
【特許請求の範囲】
【請求項１】
肉薄の表面シートと裏面シートで形成されたポリ袋の一辺の開口縁を開けるための開け具であって、
前記表面シートに当接可能な表面側当接部と、前記裏面シートに当接可能な裏面側当接部が、略Ｕ字状の弾性を有する連結部で連結されてなり、
少なくとも前記表面側当接部と前記裏面側当接部が摩擦力を発揮し得る素材で形成されている
ことを特徴とするポリ袋開け具。
【請求項２】
前記表面側当接部と前記裏面側当接部が球状のシリコンゴム製である請求項１に記載のポリ袋開け具。
【請求項３】
前記表面側当接部と裏面側当接部が離接する方向へ移動される時に、表面側当接部と裏面側当接部の一部のみが接触するように、前記表面側当接部の離接方向への移動軌跡と、前記裏面側当接部の離接方向への移動軌跡にズレが生ずるように設定されている
ことを特徴とする請求項１または請求項２に記載のポリ袋開け具。
【発明の詳細な説明】
【技術分野】
【０００１】
本発明は、ポリ袋等の口（開口縁）を簡単迅速に開けることのできる開け具に関するものである。
【背景技術】
【０００２】
従来、スーパーマーケット等のサッカー台上に設置されているポリ袋の口を開けるために、水に浸したタオルやスポンジ等で指を湿らせてから開ける場合が多く、また、人によっては、指を舐めて湿らせた状態としてポリ袋の口を開けていた。
なお、特許文献１に開示されているような小袋開封具が存在するが、ポリ袋等の肉薄の口を良好に開けることのできる開け具は存在しないものであった。
【先行技術文献】
【特許文献】
【０００３】
【特許文献１】特開２０１１−１４３９６５号公報
【発明の概要】
【発明が解決しようとする課題】
【０００４】
従来のように水に浸したタオルやスポンジで指を湿らせてポリ袋等を開ける場合には、長い時間にわたりサッカー台上に置かれたタオルやスポンジに不特定多数の人の指が接触するため、不衛生であり、また、指を舐めたりする行為も不衛生なものであった。そのため、指を湿らせたりする必要がなく容易にポリ袋の口を開けられる開け具の出現が望まれていた。
【課題を解決するための手段】
【０００５】
本発明は、ポリ袋の口を簡単かつ衛生的に開けることができるポリ袋開け具の提供を目的とし、この目的の少なくとも一部を達成するために以下の手段を採った。
本発明は、肉薄の表面シートと裏面シートで形成されたポリ袋の一辺の開口縁を開けるための開け具であって、
前記表面シートに当接可能な表面側当接部と、前記裏面シートに当接可能な裏面側当接部が、略Ｕ字状の弾性を有する連結部で連結されてなり、
少なくとも前記表面側当接部と前記裏面側当接部が摩擦力を発揮し得る素材で形成されている
ことを要旨とする。
【発明の効果】
【０００６】
本発明のポリ袋開け具を、例えばスーパーマーケット等のサッカー台の上に設置されているポリ袋等の近傍に配置しておけば、このポリ袋開け具の表面側当接部をポリ袋の表面シートに押圧させて当接させることができ、また、ポリ袋の裏面シートに裏面側当接部を当接させることができ、表面側当接部と裏面側当接部の摩擦力により、ポリ袋の一辺に形成されている口（開口縁）を良好に開けることができ、従来のように、水に浸したタオルやスポンジ等に指を接触させて湿らせる必要もなく、ポリ袋の開口作業が容易で、かつ衛生的に行えるものである。
【０００７】
また、本発明のポリ袋開け具において、前記表面側当接部と前記裏面側当接部を球状のシリコンゴム製とすることもできる。
こうすれば、球状であるため、安価に製造することができ、シリコンゴムの良好な摩擦力により、ポリ袋の開口縁をワンタッチで開けることができるものとなる。
また、シリコンゴムは耐熱性，耐寒性，化学的安定性が高いものであるため、耐久性に優れ、汚れが付きにくく、汚れた場合の洗浄や消毒等の管理が容易なものとなる。
【０００８】
また、本発明のポリ袋開け具において、前記表面側当接部と裏面側当接部が離接する方向へ移動される時に、表面側当接部と裏面側当接部の一部のみが接触するように、前記表面側当接部の離接方向への移動軌跡と、前記裏面側当接部の離接方向への移動軌跡にズレが生ずるように設定しておくことができる。
こうすれば、指でポリ袋開け具を押圧操作して表面側当接部と裏面側当接部を接する方向へ移動させてゆく時に、表面側当接部の移動軌跡と裏面側当接部の移動軌跡はズレているため、表面側当接部と裏面側当接部の一部のみが接触し、接触時に、静電気力で張り付いているポリ袋の表面シートと裏面シートを摩擦力でずらせて、良好に開口縁を開けることができ、操作が容易なものとなる。
【図面の簡単な説明】
【０００９】
【図１】ポリ袋開け具の斜視構成図である。
【図２】ポリ袋開け具の右側面図である。
【図３】ポリ袋開け具を使用する際に左右の摩擦球部（表面側当接部と裏面側当接部）を離接方向へ移動させた状態の変形斜視図である。
【図４】ポリ袋の開口縁を跨ぐようにしてポリ袋開け具を配置した状態の説明図である。
【図５】図４の状態からポリ袋開け具の左右の摩擦球部を接する方向に移動させてポリ袋の口を開ける作業状態図である。
【図６】さらに左右の摩擦球部を移動させて完全にポリ袋の口を開けた状態の作業説明図である。
【発明を実施するための形態】
【００１０】
次に、本発明を実施するための形態を実施例を用いて説明する。
図１は、ポリ袋開け具の斜視構成図であり、図２は、図１の右側面図である。
ポリ袋開け具１は、逆Ｕ字状に形成された弾性連結部２から連続して右押圧部３と左押圧部４が左右に形成されている。
右押圧部３および左押圧部４と弾性連結部２は幅寸法がほぼ同一の板状をなすものであり、右押圧部３の図示下端から更に下方へ延出して延出部３ａが形成されており、延出部３ａの下端に球状の右摩擦球部５が固定されている。延出部３ａは、右押圧部３の幅方向右端縁側から下方へ連続状に延びる幅の狭い棒状に形成されたものである。
また、左押圧部４の下端にも下方へ延びる延出部４ａが一体形成されており、この延出部４ａの下端に球状の左摩擦球部６が固定されている。延出部４ａは、左押圧部４の幅方向左端縁側から連続して下方へ延びる幅の狭い棒状をなすものである。
【００１１】
従って、図２に示すように、側面側から見ると、右押圧部３と左押圧部４は同一幅で同一位置に配置されて重なるが、延出部３ａと延出部４ａは側面側から見て重なることはなく、延出部３ａと延出部４ａ間には側面側から見て隙間が形成され、下端に固定されている右摩擦球部５と左摩擦球部６は、その内端側が僅かに重なる位置に配置されている。
【００１２】
このようなポリ袋開け具１は、弾性連結部２および右押圧部３，左押圧部４を金属製または木製または樹脂製で、一体状に連続させて形成したものであっても、また別体で形成したものであっても良いが、弾性連結部２には弾性が付与されており、右押圧部３および左押圧部４を指で内側へ向かって押圧すると、左右の摩擦球部５，６が接する方向に移動され、押圧力を解除すると、弾性により左右の摩擦球部５，６が離れる方向に移動されるものである。
【００１３】
左右の延出部３ａと４ａは、左右の押圧部３，４の幅寸法に比べて幅の狭い棒状に形成されたものであり、しかも延出部３ａは押圧部３の右端側に配置され、延出部４ａは押圧部４の左端側に配置されているため、左右の押圧部３，４を指で押さえて離接する方向へ左右の摩擦球部５，６を移動させる際に、摩擦球部５の移動軌跡と摩擦球部６の移動軌跡は同じではなくズレが生じ、左右の摩擦球部５，６が最も接近した時に、図２のように、左右の摩擦球部５，６のそれぞれの内側の一部のみが接触することとなり、さらに押圧力を加えると図３のように、右摩擦球部５は図示左側へ移動し、これよりも右側に左摩擦球部６が配置されることとなる。
この図３の状態で押圧力を解除すると、弾性により再び左右の摩擦球部５，６が内側の一部で接触して離れる方向に移動し、図１の状態に戻る。
【００１４】
このようなポリ袋開け具１を使用する際には、図４のように、ポリ袋の口である開口縁側に跨ぐようにして摩擦球部５，６を配置させる。
即ち、右側の摩擦球部５はポリ袋７の裏面シート７ｂ側に配置され、左側の摩擦球部６は表面シート７ａ側に配置される。
【００１５】
この図４の状態から左右の押圧部３，４を指で押さえて内側へ押圧力を加えると、左右の摩擦球部５，６が接する方向に、図５のように移動してゆく。しかし、右摩擦球部５の移動軌跡と左摩擦球部６の移動軌跡は平行ではあるがズレが生じているため、右摩擦球部５と左摩擦球部６の全体が当接することはなく、内側の一部のみが接触して移動を続ける。
即ち、右摩擦球部５はポリ袋７の裏面シート７ｂに当接し、左摩擦球部６はポリ袋７の表面シート７ａに当接した状態で、左右の摩擦球部５，６の内側の一部のみが接触する状態となるため、左右の摩擦球部５，６の移動に伴い、裏面シート７ｂと表面シート７ａが摩擦力により剥離されてゆき、図６のように、良好にポリ袋７の口が開かれることとなる。
【００１６】
なお、左右の摩擦球部５，６はゴム製であっても良いが、シリコンゴム製である場合には、より良好な摩擦力が発揮されて、軽い力でポリ袋７の口をワンタッチで開けることができるものとなる。
【００１７】
なお、本例のポリ袋開け具１は、弾性連結部２，左右の押圧部３，４および延出部３ａ，４ａを金属または樹脂等で安価に一体形成することができ、さらに左右の摩擦球部５，６も球状であり、安価に製造することができるものであるため、全体として安価なものとなる。
【符号の説明】
【００１８】
１  ポリ袋開け具
２  弾性連結部
３  右押圧部
３ａ，４ａ  延出部
４  左押圧部
５  右摩擦球部
６  左摩擦球部
７  ポリ袋
７ａ  表面シート
７ｂ  裏面シート
【図１】
2016022985.tif 000003
【図２】
2016022985.tif 000004
【図３】
2016022985.tif 000005
【図４】
2016022985.tif 000006
【図５】
2016022985.tif 000007
【図６】
2016022985.tif 000008